(57)【要約】【課題】用紙先端を整合手段に突き当てて用紙の曲がりを修正する給紙装置において、曲がり修正機能を向上させたものを提供する。【解決手段】たるみを発生させるためのたるみ吸収空間６に、原稿３の自由なたるみを規制するたるみ押さえ機構１００を設ける。たるみ押さえ機構１００は、押さえ板１０１を揺動可能に回転支軸１０４で軸支し、また押さえ板１０１をバネ１０５で上方へ引き上げて水平に付勢する構成とする。プルアウトローラ対１２に突き当たった後、原稿３の両側でたるみの大きさに差ができると、押さえ板１０１はたるみ量の多い側で押し上げられ、その反作用でたるみ量の少ない側では押し下げられる。この押さえ板１０１による押し下げ力でプルアウトローラ対１２に遅く突き当たる側の原稿３の先端でのたるみの影響が緩和され、プルアウトローラ対１２のニップへのスムーズに進入する。【選択図】　　　　図３
2004075275.tif 000002
【特許請求の範囲】
【請求項１】
給紙する用紙先端を用紙整合手段に突き当てたままさらに送り込み、上記用紙整合手段の用紙搬送方向上流側の吸収空間内で用紙をたるませて用紙の曲がりを矯正し、その後に次行程へ用紙を搬送する給紙装置において、上記吸収空間内に上記用紙のたるみを押さえる押さえ板を設け、該押さえ板を上記吸収空間内で上記用紙の搬送面と略平行でかつ上記用紙搬送方向と直交する方向に延設するとともに、該押さえ板の延設方向中央部に、該押さえ板を上記用紙の搬送方向と直行する方向に生じた上記用紙のたるみ量の差に応じて揺動可能に軸支する回動支軸を設けてなることを特徴とする給紙装置。
【請求項２】
上記用紙整合手段が、所定圧をもって接合し、停止動作と回転動作を選択的に可能で、上記用紙突き当て時の衝撃力によって回転しない静止力を有するローラ対であることを特徴とする請求項１の給紙装置。
【発明の詳細な説明】
【０００１】
【発明の属する技術分野】
本発明は、複写機、プリンタ、ファクシミリ等のプリント用紙給送装置や、スキャナ等の原稿読み取り装置の原稿給送装置等として用いる給紙装置に関し、詳細には搬送する用紙や原稿の曲がり矯正を行う機能を有するものに関する。
【０００２】
【従来の技術及び発明が解決しようとする課題】
複写機等のプリント用紙給送装置やスキャナ等の原稿給送装置等においては、用紙の束から分離した給送しようとする用紙を整合手段に突き当てることで曲がり（いわゆるスキュー）の矯正を行う機能を有するものがある。このような給紙装置では、用紙のピックアップの条件、分離条件等により、積載状態から分離させた後に用紙の姿勢に曲がりが生ずる場合がある。これは、その後の画像形成や原稿読み取りの品質を低下させる原因の一つになる。
【０００３】
この用紙の曲がりについての解決策として、分離後の用紙先端を停止している整合手段に突き当て、それによって用紙の曲がりを修正しようという技術が開発され、多くの商品にその機構が取り入れられている。
【０００４】
図１は、そのような機構を備える原稿読み取り装置の断面図である。原稿テーブル１上の原稿３をピックアップローラ２によって分離部４に送り込み、リバースローラ５による摩擦作用で一枚ずつ分離し、搬送方向先側に設けたプルアウトローラ対１２のニップ部に送り込む。この時、プルアウトローラ対１２は停止状態となっており、このローラ対の間に原稿３の先端が進入する。プルアウトローラ対１２は、所定のブレーキ力、例えばプルアウトローラ対１２を回転駆動するプルアウトモータのホールデングトルク等により停止している。そのため、原稿３は搬送方向前縁がプルアウトローラ対１２のニップ部に当たった状態のまま送られ続け、曲がりの修正を受ける。その後、プルアウトローラ対１２の回転を開始し、原稿３を搬送方向下流側へ搬送する、この時、上述の曲がり修正作用によりプルアウローラ対１２以降は原稿３を曲がっていない状態で送ることができる。原稿３はその後反転部７、画像読み取り部８と通過し、搬送路９を経て排紙ローラ対１０より排紙トレイ１１上に排出される。
【０００５】
このような用紙の曲がり修正作用は、用紙整合手段を構成するプルアウトローラ対１２に原稿３の先端を突き当てて原稿３の搬送を止めた後も所定量だけ原稿３を送り込み、プルアウトローラ対１２の搬送方向上流側に設けたたるみ吸収空間６内で原稿３をたるませつつ原稿３の搬送方向先側の縁全体をプルアウトローラ対１２のニップ部に対して揃え、それによって曲がりを吸収するというものである。
【０００６】
しかしながら、プルアウトローラ対１２に用紙先端を突き当てて曲がりの修正を行うとき、ピックアップローラ２及び分離部４での給紙により突き当て前に発生していた原稿３の曲がりにより、突き当て時の原稿３の先端状態を微細に見ると、先行した側の先端はプルアウトローラ対１２による整合部に正しく進入するが、遅れて進入した側の先端は、先に進入した側でたるみが形成され始めていることによる影響を受けて、正しく整合部の奥まで進入することができない状態になっている。
【０００７】
このような状態のままでプルアウトローラ対１２を駆動して原稿３を搬送すると、突き当て時の状態がそのまま維持され、先行して整合部に進入した側は先行し、遅れて整合部に進入した側は整合部の奥まで進入しきれなかった分が遅れとなって現れ、僅かな曲がりが残ってしまうことがある。即ち従来の給紙装置では、たるみ規制用のたるみ吸収空間６を原稿３の用紙幅方向で一定としていたため、上述のような原稿３の曲がりが残り、また突き当て前の曲がり状態の量が大きければ、残留する曲がりも大きくなる比例関係にあるため、整合前の曲がりを取り去ることが難しいというだけでなく、進入タイミングの差により整合作用に差が生じ、画像形成、画像読み取りの品質低下を招く結果となっていた。
【０００８】
本発明は、先に整合部に進入する側にはスキューを補正するために大きなたるみの空間が必要であり、遅れて整合部に進入する側にはたるみの空間を狭くして用紙の先端が正しく用紙整合手段に進入するようにガイドすることが必要であるとの着想により上述した従来の問題点を解決した給紙装置を提供することを目的とする。
【０００９】
【課題を解決するための手段】
本発明の給紙装置のうち請求項１に係るものは、上記目的を達成するために、給紙する用紙先端を用紙整合手段に突き当てたままさらに送り込み、上記用紙整合手段の用紙搬送方向上流側の吸収空間内で用紙をたるませて用紙の曲がりを矯正し、その後に次行程へ用紙を搬送する給紙装置において、上記吸収空間内に上記用紙のたるみを押さえる押さえ板を設け、該押さえ板を上記吸収空間内で上記用紙の搬送面と略平行でかつ上記用紙搬送方向と直交する方向に延設するとともに、該押さえ板の延設方向中央部に、該押さえ板を上記用紙の搬送方向と直行する方向に生じた上記用紙のたるみ量の差に応じて揺動可能に軸支する回動支軸を設けてなることを特徴とする。
【００１０】
同請求項２に係るものは、上記目的を達成するために、請求項１の給紙装置において、上記用紙整合手段が、所定圧をもって接合し、停止動作と回転動作を選択的に可能で、上記用紙突き当て時の衝撃力によって回転しない静止力を有するローラ対であることを特徴とする。
【００１１】
【発明の実施の形態】
以下本発明の実施の形態を図面を参照して説明する。なお以下では従来と共通する部分には共通する符号を付すにとどめ重複する説明は省略する。　また以下では実施形態として、スキャナ等の原稿読み取り装置に本発明に係る給紙装置を実施した例で説明するが、本発明はこの例のようなに限定されず、複写機、プリンタ、ファクシミリ等の類似の装置にもプリント用紙給送装置等として適用できる。
【００１２】
図２は本発明に係る給紙装置の一実施形態を備える原稿読み取り装置の概念的断面図である。本実施形態の給紙装置は、上述のような不具合の解決策として、たるみを発生させるためのたるみ吸収空間６に、原稿３の自由なたるみを規制する手段としてたるみ押さえ機構１００を設けてある。
【００１３】
たるみ押さえ機構１００は、押さえ板１０１とその支持機構１０２からなる。図２と、その要部を拡大して示す図３からわかるように、押さえ板１０１は、たるみ吸収空間６のたるみ発生方向に設置してある。具体的には、原稿３の搬送面（すなわち原稿３をリバースローラ５でまっすぐプルアウトローラ対１２のニップ部へ送り込む際に原稿３表面がなす面）と図の紙面垂直方向で略平行で、かつ原稿３の搬送方向と直交する方向を基本姿勢として延設してある。
【００１４】
図４はたるみ押さえ機構１００周りの平面図であり、図５は、押さえ板１０１の設置状態を、用紙搬送上流より見た図である。これら図４及び図５にも示すように、支持機構１０２は、押さえ板１０１を揺動可能に軸支する回転支軸１０４と、押さえ板１０１を上方へ引き上げる方向に引張力を作用させることで押さえ板１０１ほぼ水平に付勢するバネ１０５により構成してあり、回転支軸１０４を給紙装置の構造部材１０３に取り付け、バネ１０５は回転支軸１０４の軸受上部で構造部材１０３に設けたバネ掛け部１０６と押さえ板１０１の間に張り渡してある。なお押さえ板１０１の用紙搬送方向で先側にプルアウトローラ対１２があり、上ガイド板１０７と下ガイド板１０８の間に、プルアウトローラ対１２のニップ部が位置する。また図中Ｍ１は分離部４の駆動モータ、Ｍ２はプルアウトローラ対１２の駆動モータである。
【００１５】
このたるみ押さえ機構１００の位置に原稿３が曲がりを持った状態で搬送されてきて、図４に示すようにプルアウトローラ対１２の一方のローラ１２Ａに原稿３の一端側が先に突き当たり、たるみを形成しながらプルアウトローラ対１２の他方のローラ１２Ｂに原稿３の他端側が突き当たることになったとする。このままでは、ローラ１２Ａ側で原稿３のたるみが大きくなり、このたるみが遅れてくるローラ１２Ｂ側に影響し、原稿３の他端側の先端形状に浮きやうねりが生じ、プルアウトローラ対１２のニップに対しまっすぐに進入できない状態となる場合があることは前述のとおりである。
【００１６】
図６は、原稿３が曲がったまま進入した状態を用紙搬送方向上流側から見て示す図である。図示のように、原稿３はその曲がりのために、プルアウトローラ対１２に突き当たった後、たるみが大きくなった側（符号２０１で示す）と、たるみが小さい側（符号２０２で示す）とができ、たるみ量の差によって原稿３のたるみ吸収空間６への突出量に差が生じる。この時、たるみ量の多い側２０１は、押さえ板１０１が押し上げられ、その反作用でたるみ量の少ない側２０２では押さえ板１０１が押し下げられる。
【００１７】
この押さえ板１０１による押し下げ力により、プルアウトローラ対１２に遅く突き当たる側の原稿３の先端は、先に突き当たった側先端のたるみの影響が緩和され、プルアウトローラ対１２のニップへのスムーズに進入し、また先端がプルアウトローラ対１２のニップの奥まで進入することができる。これにより突き当て条件の差が少なくなって、曲がり修正能力が向上する。
【００１８】
なお原稿３に生じるたるみの状態は種々可変するが、一定の圧力を持った押さえ板１０１がバネ１０５の作用により水平に戻ろうとして先に突き当たった側で原稿３の先端のたるみ量を抑えるため、後から突き当たった側の原稿３の先端のたるみ量との差によって自動的に押し圧のバランスが変化し、より広い範囲でのたるみ修正がなされる。
【００１９】
【発明の効果】
請求項１に係る給紙装置は、以上説明してきたように、突き当て部分の用紙たるみ発生部にたるみを押さえる押さえ板を設け、たるみ押さえ部材を、用紙幅方向でシーソー状に揺動させることで、用紙のたるみ力を用紙が用紙整合手段に進入する方向の力に変換するため、先に用紙整合手段に進入する側にはスキューを補正するために大きなたるみの空間を持たせ、遅れて進入する側にはたるみの空間を狭くして用紙の先端が正しく整合手段へ進入するようガイドすることが可能になり、より正確な整合作用が行われるようにすることができるという効果がある。
【００２０】
請求項２に係る給紙装置は、以上説明してきたように、用紙整合手段をローラ対とすることにより、上記請求項１に係る給紙装置と共通する効果に加え、用紙の突き当てと、その後工程である搬送を連続的に行え、簡易に突き当て後のずれを少なくできるという効果がある。
【図面の簡単な説明】
【図１】従来の原稿読み取り装置の断面図である。
【図２】本発明に係る給紙装置の一実施形態を備える原稿読み取り装置の概念的断面図である。
【図３】同要部を拡大して示す概念的断面図である。
【図４】図２、３に示すたるみ押さえ機構周りの平面図である。
【図５】同押さえ板の設置状態を、用紙搬送上流側から見た図である。
【図６】原稿が曲がったままプルアウトローラ対のニップへ進入した状態を用紙搬送方向上流側から見て示す図である。
【符号の説明】
１　原稿テーブル
２　ピックアップローラ
３　原稿
４　分離部
５　リバースローラ
６　たるみ吸収空間
７　反転部
８　画像読み取り部
９　搬送路
１０　排紙ローラ対
１１　排紙トレイ
１２　プルアウトローラ対
１００　たるみ押さえ機構
１０１　押さえ板
１０２　支持機構
１０４　回転支軸
１０５　バネ
１０３　給紙装置の構造部材
１０６　バネ掛け部
１０７　上ガイド板
１０８　下ガイド板
２０１　原稿のたるみが大きくなった側
２０２　同たるみが小さい側
【図１】
2004075275.tif 000003
【図２】
2004075275.tif 000004
【図３】
2004075275.tif 000005
【図４】
2004075275.tif 000006
【図５】
2004075275.tif 000007
【図６】
2004075275.tif 000008